(57)【要約】【課題】歪曲収差を有する光学系を有するディジタルカメラで、広角の画像とズーム画像とが速やかに選択表示できるようにして操作性を改善する。【解決手段】光学系１は、中央部を拡大し周辺部を圧縮する歪曲収差特性を有する。イメージセンサ２で、光学系１により結像される被写体像を光電変換して原画像データとして出力する。原画像データに対して、歪曲収差補正回路７で歪曲収差を補正し、この画像データを最大画角画像データとしてメモリ５に格納する。メモリ５から切り出す画角の大きさを設定し、原画像データの一部を切り出す。この切り出した画像に対して、歪曲収差補正回路７で歪曲収差を補正し、この画像データを望遠画像データとしてメモリ５に格納する。この最大画角画像データと望遠画像データとを、外部記録装置９に記録する。【選択図】図１
2007135135.tif 000002
【特許請求の範囲】
【請求項１】
中央部を拡大し周辺部を圧縮する歪曲収差特性を有する光学系と、
前記光学系により結像される被写体像を光電変換して原画像データとして出力するイメージセンサと、
前記原画像データに含まれる歪曲収差を補正する歪曲収差補正回路と、
歪曲収差の補正前の前記原画像データに対し、切り出す画角の大きさを設定する指示部と、
前記原画像データの画角を第１の画角とし、前記原画像データの前記第１の画角に対応する画像データと、前記指示部により設定される前記第１の画角より狭い第２の画角に対応する画像データとを対として、順次、格納される記録装置と
を有する動画像撮像装置。
【請求項２】
前記記録装置は、前記第１の画角に対応する画像データとして前記歪曲収差補正回路より出力される前記原画像データの前記第１の画角に対応する第１の補正画像データが、前記第２の画角に対応する画像データとして前記歪曲収差補正回路より出力される前記原画像データの前記第２の画角に対応する第２の補正画像データが、各々格納されることを特徴とする請求項１に記載の動画像撮像装置。
【請求項３】
画像を表示するモニタと、前記モニタによる表示を制御する表示回路とを更に備え、前記表示回路は、撮影時には、前記第２の補正画像データを前記モニタに表示させることを特徴とする請求項２に記載の動画像撮像装置。
【請求項４】
画像を表示するモニタと、前記モニタによる表示を制御する表示回路とを更に備え、前記表示回路は、撮影時には、前記第１の補正画像データを前記モニタに表示させることを特徴とする請求項２に記載の動画像撮像装置。
【請求項５】
前記表示回路は、前記第１の補正画像データの上に前記第２の画角の枠を表示させることを特徴とする請求項４に記載の動画像撮像装置。
【請求項６】
画像を表示するモニタと、前記モニタによる表示を制御する表示回路とを更に備え、前記表示回路は、撮影時には、前記第１の補正画像データと第２の補正画像データを前記モニタ上に並べて表示させることを特徴とする請求項２に記載の動画像撮像装置。
【請求項７】
画像を表示するモニタと、前記モニタによる表示を制御する表示回路とを更に備え、前記表示回路は、再生時には、前記記録装置から順次読み出される前記第２の補正画像データを前記モニタに表示すると共に、任意の時点で、前記記録装置から読み出される前記第１の補正画像データに表示を切り替えることを特徴とする請求項２に記載の動画像撮像装置。
【請求項８】
画像を表示するモニタと、前記モニタによる表示を制御する表示回路とを更に備え、前記表示回路は、再生時には、前記記録装置から順次読み出される前記第１の補正画像データを前記モニタに表示させると共に、任意の時点で、前記記録装置から読み出される前記第２の補正画像データに表示を切り替えることを特徴とする請求項２に記載の動画像撮像装置。
【請求項９】
画像を表示するモニタと、前記モニタによる表示を制御する表示回路とを更に備え、前記表示回路は、再生時には、前記記録装置から順次読み出される前記第１の補正画像データ及び前記第２の補正画像データを並べて前記モニタに表示させることを特徴とする請求項２に記載の動画像撮像装置。
【請求項１０】
前記記録装置は、前記第１の画角に対応する画像データとして、前記歪曲収差を含んだ第１の画角の前記原画像データが、前記第２の画角に対応する画像データとして、前記歪曲収差補正回路より出力される前記原画像データの前記第２の画角に対応する第２の補正画像データが、各々格納されることを特徴とする請求項１に記載の動画像撮像装置。
【請求項１１】
画像を表示するモニタと、前記モニタによる表示を制御する表示回路とを更に備え、前記表示回路は、撮影時には、前記第２の補正画像データを前記モニタに表示させることを特徴とする請求項１０に記載の動画像撮像装置。
像装置。
【請求項１２】
画像を表示するモニタと、前記モニタによる表示を制御する表示回路とを更に備え、前記表示回路は、撮影時には、前記歪曲収差補正回路より出力される前記原画像データの前記第１の画角に対応する第１の補正画像データを前記モニタに表示させることを特徴とする請求項１０に記載の動画像撮像装置。
【請求項１３】
前記表示回路は、前記第１の補正画像データの上に前記第２の画角の枠を表示させることを特徴とする請求項１２に記載の動画像撮像装置。
【請求項１４】
画像を表示するモニタと、前記モニタによる表示を制御する表示回路とを更に備え、前記表示回路は、撮影時には、前記第２の補正画像データと、前記歪曲収差補正回路より出力される前記原画像データの前記第１の画角に対応する第１の補正画像データとを前記モニタ上に並べて表示させることを特徴とする請求項１０に記載の動画像撮像装置。
【請求項１５】
画像を表示するモニタと、前記モニタによる表示を制御する表示回路とを更に備え、前記表示回路は、再生時には、前記記録装置から順次読み出される前記第２の補正画像データを前記モニタに表示すると共に、任意の時点で、前記記録装置から読み出された前記原画像が前記歪曲収差補正回路により補正されて出力される前記原画像データの前記第１の画角に対応する第１の補正画像データに表示を切り替えることを特徴とする請求項１０に記載の動画像撮像装置。
【請求項１６】
画像を表示するモニタと、前記モニタによる表示を制御する表示回路とを更に備え、前記表示回路は、再生時には、前記記録装置から順次読み出された前記原画像が前記歪曲収差補正回路により補正されて出力される前記原画像データの前記第１の画角に対応する第１の補正画像データを前記モニタに表示させると共に、任意の時点で、前記記録装置から読み出される前記第２の補正画像データに表示を切り替えることを特徴とする請求項１０に記載の動画像撮像装置。
【請求項１７】
画像を表示するモニタと、前記モニタによる表示を制御する表示回路とを更に備え、前記表示回路は、再生時には、前記記録装置から順次読み出された前記原画像が前記歪曲収差補正回路により補正されて出力される前記原画像データの前記第１の画角に対応する第１の補正画像データ、及び前記第２の補正画像データを並べて前記モニタに表示させることを特徴とする請求項１０に記載の動画像撮像装置。
【請求項１８】
画像を表示するモニタと、前記モニタによる表示を制御する表示回路とを更に備え、再生時、前記歪曲収差補正回路は、前記記録装置から読み出された前記原画像の内、前記指示部により設定された第３の画角に対応する原画像データの歪曲収差を補正して第３の補正画像データを出力すると共に、前記表示回路は、前記第３の補正画像データをモニタに表示させることを特徴とする請求項１０に記載の動画像撮像装置。
【発明の詳細な説明】
【技術分野】
【０００１】
本発明は、動画像撮像装置に関するもので、特に、歪曲収差特性を有する光学系を用いてズーム操作を行うものに関する。
【背景技術】
【０００２】
ビデオカメラやディジタルカメラなどの画像入力装置において、撮影する被写体までの距離や画角に占める大きさに合わせてレンズの焦点距離を変更し、拡大縮小を自由に行うズーム機能が広く利用されている。これらのズーム機能は通常内部のレンズを機械的に動かすことにより実現されている光学ズームと、イメージセンサから出力される画像データの一部を拡大する電子ズームに大別される。電子ズームは光学ズームと比較して駆動部分がなく小型かつ安価に実現できるが、画像データの一部を拡大するので画質的に劣るという問題点がある。
【０００３】
特許文献１には、入力画像の周辺部を圧縮する機能を持つ固定焦点距離画像入力光学系と、これを受光する主として均一な画素密度の受光素子とを備え、この圧縮による歪みを含んだ該受光素子の受光画像を補正変換する機能を備えることにより、その動作領域に於いて同等の解像度のズーム画像データを実現することを特徴とする電子ズーム画像データ入力方式が提案されている。このような方式を採用することにより、周辺部の画質劣化は避けられないが、中央部の画像については、広角画像データも望遠画像データも、劣化が少ない画像データを得ることができる。
【特許文献１】特開平１０−２３３９５０号公報
【発明の開示】
【発明が解決しようとする課題】
【０００４】
ビデオカメラやディジタルカメラなどでは、ズーム撮影を行うときには、広角の画像でズーム撮影したい画像の位置を探し、ズーム撮影する画像の位置が決まったら、その位置でズームを操作し、所望の被写体のズーム画像の撮影を行っている。また、ズーム撮影をしているときには、広角の画像に戻し、画角の確認を行うようにしている。したがって、広角の画像とズーム画像とが速やかに選択表示できることが望まれる。また、再生時には、広角画像とズーム画像とが速やかに選択表示できるようにすることが望まれる。
【０００５】
ところが、特許文献１に示された画像入力装置では、歪曲収差を含む最大広角動画像データを含む全入力動画像データを記録する手段に関する詳しい記載はなく、広角の画像とズーム画像とが速やかに選択表示できることはできない。
【０００６】
上述の課題を鑑み、本発明は、イメージセンサが受光することが可能である最大の光学像である最大広角の動画像データとユーザが選択した任意の画角の動画像データを同時に記録し、最大広角の動画像データとユーザが選択した任意の画角の動画像データを用いた動画像データの再生、表示を実現するようにした動画像撮像装置を提供することを目的とする。
【課題を解決するための手段】
【０００７】
上述の課題を解決するために、請求項１の発明に係る動画像撮像装置は、中央部を拡大し周辺部を圧縮する歪曲収差特性を有する光学系と、光学系により結像される被写体像を光電変換して原画像データとして出力するイメージセンサと、原画像データに含まれる歪曲収差を補正する歪曲収差補正回路と、歪曲収差の補正前の原画像データに対し、切り出す画角の大きさを設定する指示部と、原画像データの画角を第１の画角とし、原画像データの第１の画角に対応する画像データと、指示部により設定される第１の画角より狭い第２の画角に対応する画像データとを対として、順次、格納される記録装置とを有することを特徴とする。
【０００８】
請求項２の発明に係わる動画撮像装置では、記録装置は、第１の画角に対応する画像データとして歪曲収差補正回路より出力される原画像データの第１の画角に対応する第１の補正画像データが、第２の画角に対応する画像データとして歪曲収差補正回路より出力される原画像データの第２の画角に対応する第２の補正画像データが、各々格納されることを特徴とする。
【０００９】
請求項３の発明に係わる動画撮像装置では、画像を表示するモニタと、モニタによる表示を制御する表示回路とを更に備え、表示回路は、撮影時には、第２の補正画像データをモニタに表示させることを特徴とする。
【００１０】
請求項４の発明に係わる動画撮像装置では、画像を表示するモニタと、モニタによる表示を制御する表示回路とを更に備え、表示回路は、撮影時には、第１の補正画像データをモニタに表示させることを特徴とする。
【００１１】
請求項５の発明に係わる動画撮像装置では、表示回路は、第１の補正画像データの上に第２の画角の枠を表示させることを特徴とする。
【００１２】
請求項６の発明に係わる動画撮像装置では、画像を表示するモニタと、モニタによる表示を制御する表示回路とを更に備え、表示回路は、撮影時には、第１の補正画像データと第２の補正画像データをモニタ上に並べて表示させることを特徴とする。
【００１３】
請求項７の発明に係わる動画撮像装置では、画像を表示するモニタと、モニタによる表示を制御する表示回路とを更に備え、表示回路は、再生時には、記録装置から順次読み出される第２の補正画像データをモニタに表示すると共に、任意の時点で、記録装置から読み出される第１の補正画像データに表示を切り替えることを特徴とする。
【００１４】
請求項８の発明に係わる動画撮像装置では、画像を表示するモニタと、モニタによる表示を制御する表示回路とを更に備え、表示回路は、再生時には、記録装置から順次読み出される第１の補正画像データをモニタに表示させると共に、任意の時点で、記録装置から読み出される第２の補正画像データに表示を切り替えることを特徴とする。
【００１５】
請求項９の発明に係わる動画撮像装置では、画像を表示するモニタと、モニタによる表示を制御する表示回路とを更に備え、表示回路は、再生時には、記録装置から順次読み出される第１の補正画像データ及び第２の補正画像データを並べてモニタに表示させることを特徴とする。
【００１６】
請求項１０の発明に係わる動画撮像装置では、記録装置は、第１の画角に対応する画像データとして、歪曲収差を含んだ第１の画角の原画像データが、第２の画角に対応する画像データとして、歪曲収差補正回路より出力される原画像データの第２の画角に対応する第２の補正画像データが、各々格納されることを特徴とする。
【００１７】
請求項１１の発明に係わる動画撮像装置では、画像を表示するモニタと、モニタによる表示を制御する表示回路とを更に備え、表示回路は、撮影時には、第２の補正画像データをモニタに表示させることを特徴とする。
【００１８】
請求項１２の発明に係わる動画撮像装置では、画像を表示するモニタと、モニタによる表示を制御する表示回路とを更に備え、表示回路は、撮影時には、歪曲収差補正回路より出力される原画像データの第１の画角に対応する第１の補正画像データをモニタに表示させることを特徴とする。
【００１９】
請求項１３の発明に係わる動画撮像装置では、表示回路は、第１の補正画像データの上に第２の画角の枠を表示させることを特徴とする。
【００２０】
請求項１４の発明に係わる動画撮像装置では、画像を表示するモニタと、モニタによる表示を制御する表示回路とを更に備え、表示回路は、撮影時には、第２の補正画像データと、歪曲収差補正回路より出力される原画像データの第１の画角に対応する第１の補正画像データとをモニタ上に並べて表示させることを特徴とする。
【００２１】
請求項１５の発明に係わる動画撮像装置では、画像を表示するモニタと、モニタによる表示を制御する表示回路とを更に備え、表示回路は、再生時には、記録装置から順次読み出される第２の補正画像データをモニタに表示すると共に、任意の時点で、記録装置から読み出された原画像が歪曲収差補正回路により補正されて出力される原画像データの第１の画角に対応する第１の補正画像データに表示を切り替えることを特徴とする。
【００２２】
請求項１６の発明に係わる動画撮像装置では、画像を表示するモニタと、モニタによる表示を制御する表示回路とを更に備え、表示回路は、再生時には、記録装置から順次読み出された原画像が歪曲収差補正回路により補正されて出力される原画像データの第１の画角に対応する第１の補正画像データをモニタに表示させると共に、任意の時点で、記録装置から読み出される第２の補正画像データに表示を切り替えることを特徴とする。
【００２３】
請求項１７の発明に係わる動画撮像装置では、画像を表示するモニタと、モニタによる表示を制御する表示回路とを更に備え、表示回路は、再生時には、記録装置から順次読み出された原画像が歪曲収差補正回路により補正されて出力される原画像データの第１の画角に対応する第１の補正画像データ、及び第２の補正画像データを並べてモニタに表示させることを特徴とする。
【００２４】
請求項１８の発明に係わる動画撮像装置では、画像を表示するモニタと、モニタによる表示を制御する表示回路とを更に備え、再生時、歪曲収差補正回路は、記録装置から読み出された原画像の内、指示部により設定された第３の画角に対応する原画像データの歪曲収差を補正して第３の補正画像データを出力すると共に、表示回路は、第３の補正画像データをモニタに表示させることを特徴とする。
【発明の効果】
【００２５】
請求項１の発明に係る動画撮像装置によれば、中央部を拡大し周辺部を圧縮する歪曲収差特性を有する光学系と、光学系により結像される被写体像を光電変換して原画像データとして出力するイメージセンサと、原画像データに含まれる歪曲収差を補正する歪曲収差補正回路と、歪曲収差の補正前の原画像データに対し、切り出す画角の大きさを設定する指示部と、原画像データの画角を第１の画角とし、原画像データの第１の画角に対応する画像データと、指示部により設定される第１の画角より狭い第２の画角に対応する画像データとを対として、順次、格納される記録装置とを有するようにしている。第１の画角の画像データ、即ち、広角側の画像データと、第２の画角の画像データ、即ち、望遠側の画像データとを対にして順次に記録するので、広角と望遠の動画像再生を、速やかかつ選択的に行うことが可能となる。
【００２６】
請求項２の発明に係わる動画撮像装置によれば、記録装置は、第１の画角に対応する画像データとして歪曲収差補正回路より出力される原画像データの第１の画角に対応する第１の補正画像データが、第２の画角に対応する画像データとして歪曲収差補正回路より出力される原画像データの第２の画角に対応する第２の補正画像データが、各々格納されるようにしている。歪曲収差補正後の第１の画角の画像データ、即ち、広角側の画像データと、第２の画角の画像データ、即ち、望遠側の画像データとを対にして順次に記録するので、広角と望遠の動画像再生を、汎用の装置にて速やかかつ選択的に行うことが可能となる。
【００２７】
請求項３の発明に係わる動画撮像装置によれば、画像を表示するモニタと、モニタによる表示を制御する表示回路とを更に備え、表示回路は、撮影時には、第２の補正画像データをモニタに表示させるようにしている。撮影時には、第２の補正画像データ、即ち、望遠側の画像データをＬＣＤなどのモニタに表示することで、ユーザが設定した望遠画像データの画角を確認しながらの撮影が可能となる。
【００２８】
請求項４の発明に係わる動画撮像装置によれば、画像を表示するモニタと、モニタによる表示を制御する表示回路とを更に備え、表示回路は、撮影時には、第１の補正画像データをモニタに表示させるようにしている。撮影時には、第１の補正画像データ、即ち、広角側の画像データをＬＣＤなどのモニタに表示することで、広角側の画像データをモニタで確認しながらの撮影が可能となる。
【００２９】
請求項５の発明に係わる動画撮像装置によれば、表示回路は、第１の補正画像データの上に第２の画角の枠を表示させるようにしている。第２の画角の枠を第１の補正画像データ上に表示することで、第２の画角とその周辺部を同時にモニタで確認しながらの撮影が可能となる。
【００３０】
請求項６の発明に係わる動画撮像装置によれば、画像を表示するモニタと、モニタによる表示を制御する表示回路とを更に備え、表示回路は、撮影時には、第１の補正画像データと第２の補正画像データをモニタ上に並べて表示させるようにしている。撮影時に、第１の補正画像データ、即ち、広角側の画像データをモニタで確認しながらの前記第２の補正画像データ、即ち、望遠側の撮影が可能となる。
【００３１】
請求項７の発明に係わる動画撮像装置によれば、画像を表示するモニタと、モニタによる表示を制御する表示回路とを更に備え、表示回路は、再生時には、記録装置から順次読み出される第２の補正画像データをモニタに表示すると共に、任意の時点で、記録装置から読み出される第１の補正画像データに表示を切り替えるようにしている。再生時に、順次読み出される第２の補正画像データ、即ち、望遠側の画像データをモニタに表示し、任意の時点で、第１の補正画像データ、即ち、広角側の画像データに切り替えて表示することで、広角と望遠の動画像データの選択的な確認を行うことが容易となる。
【００３２】
請求項８の発明に係わる動画撮像装置によれば、画像を表示するモニタと、モニタによる表示を制御する表示回路とを更に備え、表示回路は、再生時には、記録装置から順次読み出される第１の補正画像データをモニタに表示させると共に、任意の時点で、記録装置から読み出される第２の補正画像データに表示を切り替えるようにしている。再生時に、順次読み出される第１の補正画像データ、即ち、広角側の画像データをモニタに表示し、任意の時点で、第２の補正画像データ、即ち、望遠側の画像データに切り替えて表示することで、広角と望遠の動画像データの選択的な確認を行うことが容易となる。
【００３３】
請求項９の発明に係わる動画撮像装置によれば、画像を表示するモニタと、モニタによる表示を制御する表示回路とを更に備え、表示回路は、再生時には、記録装置から順次読み出される第１の補正画像データ及び第２の補正画像データを並べてモニタに表示させるようにしている。再生時に、記録装置から順次読み出される、第１の補正画像データ、即ち、広角側の画像データ、及び第２の補正画像データ、即ち、望遠側の画像データを並べてモニタに再生することで、構図の比較が容易となる。
【００３４】
請求項１０の発明に係わる動画撮像装置によれば、記録装置は、第１の画角に対応する画像データとして、歪曲収差を含んだ第１の画角の原画像データが、第２の画角に対応する画像データとして、歪曲収差補正回路より出力される原画像データの第２の画角に対応する第２の補正画像データが、各々格納されるようにしている。第１の画角の原画像データと第２の補正画像データを対にして記録することで、原画像データを用いて、歪曲収差を補正可能な他の動画再生装置で歪曲収差を補正し、画像の画角を変更することが可能となると共に、既存の動画再生装置において、第２の補正画像データ、即ち、補正された望遠側の動画像データの再生が可能となる。
【００３５】
請求項１１の発明に係わる動画撮像装置によれば、画像を表示するモニタと、モニタによる表示を制御する表示回路とを更に備え、表示回路は、撮影時には、第２の補正画像データをモニタに表示させるようにしている。撮影時には、第２の補正画像データ、即ち、望遠側の画像データをＬＣＤなどのモニタに表示することで、ユーザが設定した望遠画像データの画角を確認しながらの撮影が可能となる。
【００３６】
請求項１２の発明に係わる動画撮像装置によれば、画像を表示するモニタと、モニタによる表示を制御する表示回路とを更に備え、表示回路は、撮影時には、歪曲収差補正回路より出力される原画像データの第１の画角に対応する第１の補正画像データをモニタに表示させるようにしている。撮影時には、第１の補正画像データ、即ち、広角側の画像データをＬＣＤなどのモニタに表示することで、広角側の画像データをモニタで確認しながらの撮影が可能となる。
【００３７】
請求項１３の発明に係わる動画撮像装置によれば、表示回路は、第１の補正画像データの上に第２の画角の枠を表示させるようにしている。第２の画角の枠を第１の補正画像データ上に表示することで、第２の画角とその周辺部を同時にモニタで確認しながらの撮影が可能となる。
【００３８】
請求項１４の発明に係わる動画撮像装置によれば、画像を表示するモニタと、モニタによる表示を制御する表示回路とを更に備え、表示回路は、撮影時には、第２の補正画像データと、歪曲収差補正回路より出力される原画像データの第１の画角に対応する第１の補正画像データとをモニタ上に並べて表示させるようにしている。撮影時に、第１の補正画像データ、即ち、広角側の画像データをモニタで確認しながらの前記第２の補正画像データ、即ち、望遠側の撮影が可能となる。
【００３９】
請求項１５の発明に係わる動画撮像装置によれば、画像を表示するモニタと、モニタによる表示を制御する表示回路とを更に備え、表示回路は、再生時には、記録装置から順次読み出される第２の補正画像データをモニタに表示すると共に、任意の時点で、記録装置から読み出された原画像が歪曲収差補正回路により補正されて出力される原画像データの第１の画角に対応する第１の補正画像データに表示を切り替えるようにしている。再生時に、順次読み出される第２の補正画像データ、即ち、望遠側の画像データをモニタに表示し、任意の時点で、第１の補正画像データ、即ち、広角側の画像データに切り替えて表示することで、広角と望遠の動画像データの選択的な確認を行うことが容易となる。
【００４０】
請求項１６の発明に係わる動画撮像装置によれば、画像を表示するモニタと、モニタによる表示を制御する表示回路とを更に備え、表示回路は、再生時には、記録装置から順次読み出された原画像が歪曲収差補正回路により補正されて出力される原画像データの第１の画角に対応する第１の補正画像データをモニタに表示させると共に、任意の時点で、記録装置から読み出される第２の補正画像データに表示を切り替えるようにしている。再生時に、順次読み出される第１の補正画像データ、即ち、広角側の画像データをモニタに表示し、任意の時点で、第２の補正画像データ、即ち、望遠側の画像データに切り替えて表示することで、広角と望遠の動画像データの選択的な確認を行うことが容易となる。
【００４１】
請求項１７の発明に係わる動画撮像装置によれば、画像を表示するモニタと、モニタによる表示を制御する表示回路とを更に備え、表示回路は、再生時には、記録装置から順次読み出された原画像が歪曲収差補正回路により補正されて出力される原画像データの第１の画角に対応する第１の補正画像データ、及び第２の補正画像データを並べてモニタに表示させるようにしている。再生時に、記録装置から順次読み出される、第１の補正画像データ、即ち、広角側の画像データ、及び第２の補正画像データ、即ち、望遠側の画像データを並べてモニタに再生することで、構図の比較が容易となる。
【００４２】
請求項１８の発明に係わる動画撮像装置によれば、画像を表示するモニタと、モニタによる表示を制御する表示回路とを更に備え、再生時、歪曲収差補正回路は、記録装置から読み出された原画像の内、指示部により設定された第３の画角に対応する原画像データの歪曲収差を補正して第３の補正画像データを出力すると共に、表示回路は、第３の補正画像データをモニタに表示させるようにしている。記録装置から読み出された原画像データに対し、第３の画角が設定され、この第３の画角に対応する原画像データの歪曲収差が補正されて出力され、モニタに表示されるので、任意の画角における、歪曲収差が補正された画像データを確認することが容易となる。
【発明を実施するための最良の形態】
【００４３】
次に、本実施の形態による動画像撮像装置の撮影動作について、図面を参照しながら説明する。
【００４４】
（第１の実施の形態）
図１は、本発明の第１の実施の形態に係る動画像撮像装置の構成を示す図である。図１において、１は光学系である。光学系１は、中央部は拡大され周辺部は縮小されるように、歪曲収差を有している。
【００４５】
光学系１により集光された被写体像光がイメージセンサ２の受光面に結像される。イメージセンサ２は、光学像を受光し電気信号に変換するもので、イメージセンサ２としては、ＣＣＤ(Ｃｈａｒｇｅ  Ｃｏｕｐｌｅｄ  Ｄｅｖｉｃｅ)イメージセンサやＣＭＯＳ(Ｃｏｍｐｌｅｍｅｎｔａｒｙ  ＭＯＳ)イメージセンサが用いられる。イメージセンサ２の受光面には、ＲＧＢの色フィルタがベイヤー配列で貼付けられている。イメージセンサ２からの出力信号は、Ａ／Ｄ変換回路３でディジタル信号に変換され、プリプロセス回路４に送られる。
【００４６】
プリプロセス回路４は、Ａ／Ｄ変換回路３から入力された撮像信号の画素欠陥の補正、ＯＢ減算処理等の調整が行われた後に、バス１４を介して、メモリ５に送られる。メモリ５は、画像データ等を一時的に格納するものである。メモリ５としては、ＳＤＲＡＭ(Ｓｙｎｃｈｒｏｎｏｕｓ  Ｄｙｎａｍｉｃ Ｒａｎｄｏｍ  Ａｃｃｅｓｓ  Ｍｅｍｏｒｙ)等が用いられる。
【００４７】
バス１４は、プリプロセス回路４、メモリ５、画像処理回路６、歪曲収差補正回路７、圧縮伸長回路８、外部記録装置９、表示回路１０、ＣＰＵ(Ｃｅｎｔｒａｌ  Ｐｒｏｃｅｓｓｉｎｇ  Ｕｎｉｔ)１３を接続するデータバスである。
【００４８】
画像処理回路６は、メモリ５から撮像信号を入力し、撮像信号から輝度信号Ｙ及び色差信号Ｃｂ、Ｃｒを生成したり、画像データのノイズを除去したりする処理を行う。
【００４９】
歪曲収差補正回路７は、画像処理回路６から入力された画像データの歪曲収差を補正する処理を行う。
【００５０】
圧縮伸長回路８は、画像データをＪＰＥＧ(Ｊｏｉｎｔ  Ｐｈｏｔｏｇｒａｐｈｉｃ Ｅｘｐｅｒｔｓ  Ｇｒｏｕｐ)やＭＰＥＧ(Ｍｏｖｉｎｇ  Ｐｉｃｔｕｒｅ  Ｃｏｄｉｎｇ Ｅｘｐｅｒｔｓ  Ｇｒｏｕｐ)等の圧縮方法を用いて圧縮したり、ＪＰＥＧやＭＰＥＧ等の圧縮方法を用いて圧縮動画像データを伸長したりする処理を行う。
【００５１】
外部記録装置９は半導体メモリや磁気メモリなどから構成され、圧縮伸長回路８で圧縮した圧縮動画像データを記録したり、記録した圧縮動画像データを読み出したりするものである。
【００５２】
表示回路１０は、画像データをモニタ１１へ出力するための同期信号を生成したり、ＬＣＤ(Ｌｉｑｕｉｄ  Ｃｒｙｓｔａｌ  Ｄｉｓｐｌａｙ)等のモニタ１１の表示サイズに画像データをリサイズしたりする。表示回路１０の出力信号はモニタ１１に送られ、モニタ１１に表示される。
【００５３】
指示部１２はユーザ用の操作ボタンで、指示部１２には、画像データの画角の変更や、画像データの表示方法の変更などの指示が与えられる。指示部１２からの指示信号は、ＣＰＵ１３へ通知される。ＣＰＵ１３は、装置全体の動作制御を行っている。
【００５４】
本発明の第１の実施の形態では、上述のように、光学系１として、歪曲収差を有するものが用いられる。図２は、このような歪曲収差を有する光学系の特性を示すものである。図２（Ａ）に示す画像を、歪曲収差を持つ光学系で撮影すると、図２（Ｂ）又は図２（Ｃ）に示すような光学像となる。
【００５５】
図２（Ｂ）は縦・横独立に周辺になるほど圧縮するような歪曲収差を発生させた光学系で撮影される光学像の例であり、図２（Ｃ）は共軸系の光学系で同心円状に中心からの距離が大きくなるほど圧縮するような樽型の歪曲収差を発生させた光学系で撮影される光学像の例である。このように、本発明の大きな歪曲収差を持つ光学系は、中央部は拡大され周辺部は縮小されるように構成されているものであり、これらを組み合わせたような光学歪曲収差として実現することも可能である。以下、図２（Ｂ）の歪曲収差を例に説明を行う。
【００５６】
図３はイメージセンサ２により取り込んだ画像データの一部を切り出し、電子ズームを行った画像データを示したものである。図３（Ａ）は大きな歪曲収差を持つ光学系１により撮影した画像データであり、図３（Ｃ）は図３（Ａ）の画像データから電子ズーム画像データを得た例である。図３（Ｂ）は歪曲収差の小さな通常の光学系で撮影した画像データであり、図３（Ｄ）は図３（Ｂ）の画像データから電子ズーム画像データを得る例である。このように、同じ画角の電子ズーム画像データを得る場合に、撮影した画像データの面積は大きな歪曲収差を持つ光学系を使用したものの方が大きいことがわかる。
【００５７】
次に、本発明の第１の実施の形態による動画像撮像装置の撮影動作について図４のフローチャートを参照して説明する。
【００５８】
図１における大きな歪曲収差を持つ光学系１を通して得られた光学像は、イメージセンサ２で受光され、電気信号に変換される。このイメージセンサ２からの出力信号は、イメージセンサ２が受光できる最大の光学像である歪曲収差を補正していない最大広角撮像信号である。
【００５９】
図４において、イメージセンサ２からの歪曲収差を補正していない最大広角撮像信号は、Ａ／Ｄ変換回路３でディジタル信号に変換され、プリプロセス回路４で画素欠陥の補正、ＯＢ減算処理等の調整が行われた後、メモリ５へ出力される。このように、メモリ５には、歪曲収差を補正していない最大広角撮像信号が格納される（ステップＳ１）。
【００６０】
この歪曲収差を補正していない最大広角撮像信号は、メモリ５から画像処理回路６へ出力され、画像処理回路６で、ノイズ除去、輝度信号Ｙ及び色差信号Ｃｂ、Ｃｒへの変換、ガンマ補正等の画像処理が施される（ステップＳ２）。画像処理回路６で画像処理が施された歪曲収差を補正していない最大広角画像データは、歪曲収差補正回路７へ入力され、歪曲収差補正回路７で、最大広角画像データが持っている歪曲収差が補正される（ステップＳ３）。歪曲収差補正回路７で歪曲収差を補正した最大広角画像データは、メモリ５へ出力され、メモリ５に格納される（ステップＳ４）。
【００６１】
また、ユーザは、ズーム操作を行う際に、指示部１２の操作ボタンを操作する（ステップＳ５）。指示部１２の操作ボタンが操作されると、ユーザが指示部１２の操作ボタンで設定した任意の画角がＣＰＵ１３に通知され、ＣＰＵ１３からメモリ５に、画像の読み出し命令が送られる。これにより、メモリ５に格納されている歪曲収差を補正していない最大広角撮像信号の一部が、設定された画角に応じて切り取られる（ステップＳ６）。この切り取られた部分撮像信号を、以下、望遠撮像信号と称する。
【００６２】
この歪曲収差を補正していない望遠撮像信号は、メモリ５から画像処理回路６へ出力され、画像処理回路６で、ノイズ除去、輝度信号Ｙ及び色差信号Ｃｂ、Ｃｒへの変換、ガンマ補正等の画像処理が施される（ステップＳ７）。画像処理回路６で画像処理が施された歪曲収差を補正していない望遠画像データは、歪曲収差補正回路７へ入力され、歪曲収差補正回路７で、望遠画像データが持っている歪曲収差が補正される（ステップＳ８）。歪曲収差補正回路７で歪曲補正した望遠画像データは、対となる歪曲収差補正した最大広角画像データを示す対応情報を付加されてメモリ５へ出力され、メモリ５に格納される（ステップＳ９）。
【００６３】
ユーザがズーム操作を行った場合（ステップＳ５）、メモリ５には、歪曲収差を補正した最大広角画像データと、歪曲収差を補正した望遠画像データが格納されることになる（ステップＳ４及びステップＳ９参照）。
【００６４】
次に、メモリ５に格納されている歪曲収差を補正した最大広角画像データは圧縮伸長回路８へ出力され、圧縮伸長回路８で、歪曲収差を補正した最大広角画像データがＪＰＥＧフォーマットで圧縮される（ステップＳ１０）。歪曲収差補正した最大広角圧縮画像データは、メモリ５へ出力され、メモリ５に格納される（ステップＳ１１）。ステップＳ５でズーム操作がなかった場合（ステップＳ１２）、メモリ５に格納されている歪曲収差を補正した最大広角圧縮画像データは、外部記録装置９へ出力され、外部記録装置９に記録され（ステップＳ１３）、ステップＳ１７に移行する。
【００６５】
他方、ユーザがズーム操作を行った場合（ステップＳ１２）、メモリ５に格納されている歪曲収差を補正した望遠画像データは圧縮伸長回路８へ出力され、圧縮伸長回路８で、歪曲収差補正した望遠画像データがＪＰＥＧフォーマットで圧縮される（ステップＳ１４）。歪曲収差補正した望遠圧縮画像データは、メモリ５へ出力され、メモリ５に格納される（ステップＳ１５）。
【００６６】
メモリ５に格納されている歪曲収差を補正した最大広角圧縮画像データ及び歪曲収差を補正した望遠圧縮画像データは、外部記録装置９へ出力され、外部記録装置９に記録される（ステップＳ１６）。このように、ユーザがズーム操作を行った場合には、外部記録装置９には、歪曲収差を補正した最大広角圧縮画像データと、歪曲収差を補正した望遠圧縮画像データとが対として記録される（ステップＳ１６）。
【００６７】
上記１フレーム分の動作を、連続して複数のフレームの処理を行うことにより、動画撮影動作となる。
【００６８】
１フレーム分の処理が終了したら、次フレームに処理を移し（ステップＳ１７）、ステップＳ１にリターンし、次のフレームの処理が行われる。
【００６９】
次に、本発明の第１の実施の形態による動画像撮像装置の撮影時の画像データの表示方法について説明する。本発明の第１の実施形態では、ユーザが指示部１２の操作ボタンで広角表示、望遠表示、２画面表示とが設定できる。図５は、本発明の第１の実施の形態の表示処理を示すフローチャートである。
【００７０】
図５において、広角表示か、望遠表示か、２画面表示かが判断される（ステップＳ２１）。ステップＳ２１で、広角表示が選択された場合には、メモリ５に格納されている歪曲収差を補正した最大広角画像データが表示回路１０へ出力される（ステップＳ２２）。表示回路１０は、モニタ１１の画角に合わせて最大広角画像データをリサイズしながら１フレーム毎にモニタ１１へ出力する。これにより、モニタ１１には、図７（Ａ）に示すように、最大画角の画像２１が表示される（ステップＳ２３）。
【００７１】
ステップＳ２１で、望遠表示が選択された場合には、メモリ５に格納されている歪曲収差を補正した望遠画像データが表示回路１０へ出力される（ステップＳ２４）。表示回路１０は、モニタ１１の画角に合わせて画像データをリサイズしながら１フレーム毎にモニタ１１へ出力する。これにより、モニタ１１には、図７（Ｂ）に示すように、望遠画像２２が表示される（ステップＳ２５）。
【００７２】
ステップＳ２１で、２画面表示の選択をした場合には、メモリ５に格納されている歪曲収差を補正した最大広角画像データと、歪曲収差を補正した望遠画像データが表示回路１０へ出力される（ステップＳ２６）。これにより、図７（Ｃ）に示すように、最大画角の画像２１と望遠画像２２とが並べて表示される（ステップＳ２７）。
【００７３】
ここで、表示設定が切り替えられたかどうかが判断される（ステップＳ２８）。表示設定が切り替えられたら、ステップＳ２１にリターンされる。そして、ステップＳ２１で、広角表示に切り替えられたか、望遠表示に切り替えられたか、２画面表示に切り替えられたかが判断される。
【００７４】
広角表示に切り替えた場合には、ステップＳ２２〜ステップＳ２３に示すようにして、最大画角の画像が表示される。望遠表示に切り替えられた場合には、ステップＳ２４〜ステップＳ２５に示すようにして、望遠画像が表示される。２画面表示に切り替えられた場合には、ステップＳ２６〜ステップＳ２７に示すようにして、最大画角の画像と望遠画像とが並べて表示される。
【００７５】
１フレーム分の処理が終了したかどうかが判断され（ステップＳ２９）、１フレーム分の処理が終了したら、次フレームに処理を移し（ステップＳ３０）、ステップＳ２１にリターンし、次のフレームの処理が行われる。
【００７６】
また、本発明の第１の実施の形態では、広角表示の間に、ズーム枠の表示を行ってもよい。
【００７７】
図６は、ズーム枠表示を行うときの処理を示すフローチャートである。図６において、広角表示を行っているかどうかが判断され（ステップＳ３１）、広角表示中なら、ユーザが指示部１２の操作ボタンで枠表示の選択をしたかどうかが判断される（ステップＳ３２）。ズーム枠の表示が選択されている場合には、メモリ５から切り取られる画面に応じて、ズーム枠表示信号が形成される（ステップＳ３３）。メモリ５に格納されている歪曲収差を補正した最大広角画像データと、設定した画角に対応する枠表示信号が表示回路１０に送られる（ステップＳ３４）。これにより、モニタ１１には、図７（Ｄ）に示すように、最大画角の画像２１が表示され、望遠画角を示すズーム枠２３が表示される（ステップＳ３５）。１フレーム分の処理が終了したかどうかが判断され（ステップＳ３６）、１フレーム分の処理が終了したら、次フレームの処理に移り（ステップＳ３７）、ステップＳ３１にリターンし、次のフレームの処理が行われる。
【００７８】
次に、本発明の第１の実施の形態による動画像撮像装置の圧縮動画像データの再生処理について説明する。
【００７９】
図８は再生処理を示すフローチャートである。前述したように、ユーザがズーム操作を行った場合（ステップＳ５）、外部記録装置９には、記録時に、歪曲収差を補正した最大広角圧縮画像データと、歪曲収差を補正した望遠圧縮画像データとが対として記録されている（ステップＳ１２及び１５参照）。図８において、再生時には、歪曲収差を補正した最大広角圧縮画像データと、歪曲収差を補正した望遠圧縮画像データとが外部記録装置９から読み出され、メモリ５に格納される（ステップＳ４１）。
【００８０】
メモリ５に格納されている最大広角圧縮画像データは、圧縮伸長回路８へ出力され、圧縮伸長回路８で、ＪＰＥＧフォーマットで伸長され、伸長された最大広角画像データは、メモリ５に格納される（ステップＳ４２）。
【００８１】
一方、メモリ５に格納されている望遠圧縮画像データは、圧縮伸長回路８へ出力され、圧縮伸長回路８で、ＪＰＥＧフォーマットで伸長される。伸長された望遠画像データは、メモリ５へ出力され、メモリ５に格納される（ステップＳ４３）。
【００８２】
本発明の第１の実施形態では、再生時に、広角表示と望遠表示とを選択することができる。表示選択は、ユーザが指示部１２の操作ボタンで行う。
【００８３】
再生時の表示が広角表示か、望遠表示か、２画面表示かが判断される（ステップＳ４４）。ステップＳ４４で、広角表示が選択された場合には、メモリ５に格納されている歪曲収差を補正した最大広角画像データが表示回路１０へ出力される（ステップＳ４５）。表示回路１０は、モニタ１１の画角に合わせて最大広角画像データをリサイズしながら１フレーム毎にモニタ１１へ出力する。これにより、モニタ１１には、図７（Ａ）に示すように、最大画角の画像２１が表示される（ステップＳ４６）。
【００８４】
ステップＳ４４で、望遠表示が選択された場合には、メモリ５に格納されている歪曲収差を補正した望遠画像データが表示回路１０へ出力される（ステップＳ４７）。表示回路１０は、モニタ１１の画角に合わせて画像データをリサイズしながら１フレーム毎にモニタ１１へ出力する。これにより、モニタ１１には、図７（Ｂ）に示すように、望遠画像２２が表示される（ステップＳ４８）。
【００８５】
ステップＳ４４で、２画面表示の選択をした場合には、メモリ５に格納されている歪曲収差を補正した最大広角画像データと、歪曲収差を補正した望遠画像データが表示回路１０へ出力される（ステップＳ４９）。これにより、図７（Ｃ）に示すように、最大画角の画像２１と望遠画像２２とが並べて表示される（ステップＳ５０）。
【００８６】
ここで、表示設定が切り替えられたかどうかが判断される（ステップＳ５１）。表示設定が切り替えられたら、ステップＳ４４にリターンされ、広角表示に切り替えられたか、望遠表示に切り替えられたか、２画面表示に切り替えられたかが判断される。
【００８７】
広角表示に切り替えられた場合には、ステップＳ４５〜ステップＳ４６に示すようにして、最大画角の画像が表示される。望遠表示に切り替えられた場合には、ステップＳ４７〜ステップＳ４８に示すようにして、望遠画像が表示される。２画面表示に切り替えられた場合には、ステップＳ４９〜ステップＳ５０に示すようにして、最大画角の画像と望遠画像とが並べて表示される。
【００８８】
動画再生動作は、連続した複数のフレーム処理である。１フレーム分の処理が終了したかどうかが判断され（ステップＳ５２）、１フレーム分の処理が終了したら、次フレームに処理を移し（ステップＳ５３）、ステップＳ４１にリターンし、次のフレームの処理が行われる。
【００８９】
以上、本発明の第１の実施の形態によれば、１つの被写体の最大広角画像データと望遠画像データを同時に取得することが可能であるので、撮影時の表示方法を選択したり、最大広角画像データと望遠画像データを外部記録装置に記録し、記録画像データを再生するときに、任意のフレームで最大広角画像データと望遠画像データの表示を切り替えたりすることも可能となる。
【００９０】
（第２の実施の形態）
本発明の第２の実施の形態について、図面を参照しながら説明する。第２の実施の形態は、外部記録装置９へ記録する最大広角画像データが第１の実施の形態と異なる。即ち、第１の実施の形態では、外部記録装置９には、記録時に、歪曲収差を補正した最大広角圧縮画像データと、歪曲収差を補正した望遠圧縮画像データとが記録される。これに対して、この第２の実施の形態では、外部記録装置９には、歪曲収差を補正していない最大広角圧縮画像データと、歪曲収差を補正した望遠圧縮画像データとが記録される。本発明の第２の実施の形態は、その動画撮像装置の構成は第１の実施の形態と同様であり、その説明を省略する。
【００９１】
図９は、本発明の第２の実施の形態の記録処理を示すフローチャートである。図９において、大きな歪曲収差を持つ光学系１を通して得られた光学像がイメージセンサ２で受光され、電気信号に変換される。このイメージセンサ２からの出力信号は、イメージセンサ２が受光できる最大の光学像である歪曲収差を補正していない最大広角撮像信号である。
【００９２】
イメージセンサ２からの歪曲収差を補正していない最大広角撮像信号は、Ａ／Ｄ変換回路３でディジタル信号に変換され、プリプロセス回路４で画素欠陥の補正、ＯＢ減算処理等の調整が行われた後、メモリ５へ出力される。このように、メモリ５には、歪曲収差を補正していない最大広角撮像信号が格納される（ステップＳ６１）。
【００９３】
この歪曲収差を補正していない最大広角撮像信号は、メモリ５から画像処理回路６へ出力され、画像処理回路６で、ノイズ除去、輝度信号Ｙ及び色差信号Ｃｂ、Ｃｒへの変換、ガンマ補正等の画像処理が施される（ステップＳ６２）。画像処理回路６で画像処理が施された歪曲収差を補正していない最大広角画像データは、メモリ５へ出力され、メモリ５に格納される（ステップＳ６３）。
【００９４】
また、画像処理回路６で画像処理が施された歪曲収差を補正していない最大広角画像データは、歪曲収差補正回路７へ入力され、歪曲収差補正回路７で、最大広角画像データが持っている歪曲収差が補正される（ステップＳ６４）。この歪曲収差補正回路７で補正された最大広角画像データは、表示のために、メモリ５に格納される（ステップＳ６５）。
【００９５】
ユーザは、ズーム操作を行う際に、指示部１２の操作ボタンを操作する（ステップＳ６６）。指示部１２の操作ボタンが操作されると、ユーザが指示部１２の操作ボタンで設定した任意の画角がＣＰＵ１３に通知され、ＣＰＵ１３からメモリ５に、画像の読み出し命令が送られる。これにより、メモリ５に格納されている歪曲収差を補正していない最大広角撮像信号の一部が、設定された画角に応じて切り取られる（ステップＳ６７）。この切り取られた部分撮像信号を望遠撮像信号と称する。
【００９６】
この歪曲収差を補正していない望遠撮像信号は、メモリ５から画像処理回路６へ出力され、画像処理回路６で、ノイズ除去、輝度信号Ｙ及び色差信号Ｃｂ、Ｃｒへの変換、ガンマ補正等の画像処理が施される（ステップＳ６８）。画像処理回路６で画像処理が施された歪曲収差を補正していない望遠画像データは、歪曲収差補正回路７へ入力され、歪曲収差補正回路７で、望遠画像データが持っている歪曲収差が補正される（ステップＳ６９）。歪曲収差補正回路７で補正された望遠画像データは、対となる歪曲収差補正していない最大広角画像データを示す対応情報を付加されてメモリ５へ出力され、メモリ５に格納される（ステップＳ７０）。
【００９７】
次に、メモリ５に格納されている歪曲収差補正をしていない最大広角画像データは圧縮伸長回路８へ出力され、圧縮伸長回路８で、最大広角画像データがＪＰＥＧフォーマットで圧縮される（ステップＳ７１）。圧縮された歪曲収差補正していない最大広角圧縮画像データは、メモリ５へ出力され、メモリ５に格納される（ステップＳ７２）。ステップＳ６６でズーム操作がなかった場合（ステップＳ７３）、メモリ５に格納されている歪曲収差を補正していない最大広角圧縮画像データは、外部記録装置９へ出力され、外部記録装置９に記録され（ステップＳ７４）、ステップＳ７８に進む。
【００９８】
一方、ステップＳ６６でズーム操作があった場合（ステップＳ７３）、メモリ５に格納されている望遠画像データは圧縮伸長回路８へ出力される。圧縮伸長回路８で、望遠画像データがＪＰＥＧフォーマットで圧縮される（ステップＳ７５）。歪曲収差を補正した望遠圧縮画像データは、メモリ５へ出力され、メモリ５に格納される（ステップＳ７６）。
【００９９】
メモリ５に格納されている歪曲収差を補正していない最大広角圧縮画像データ及び歪曲収差を補正した望遠圧縮画像データは、外部記録装置９へ出力され、外部記録装置９に記録される（ステップＳ７７）。このように、ユーザがズーム操作を行った場合には、外部記録装置９には、歪曲収差を補正していない最大広角圧縮画像データと、歪曲収差を補正した望遠圧縮画像データとが対として記録される（ステップＳ７７）。
【０１００】
上記１フレーム分の動作を連続して複数のフレームの処理を行うことにより、動画撮影動作となる。
【０１０１】
１フレーム分の処理が終了したら、次フレームに処理を移し（ステップＳ７８）、ステップＳ６１にリターンし、次のフレームの処理が行われる。
【０１０２】
次に、本発明の第２の実施の形態の表示処理について説明する。本発明の第２の実施の形態では、ユーザが指示部１２の操作ボタンで広角表示、望遠表示、２画面表示とが設定できる。
【０１０３】
図１０は、本発明の第２の実施の形態の表示処理を示すフローチャートである。図１０において、広角表示か、望遠表示か、２画面表示かが判断される（ステップＳ８１）。ステップＳ８１で、広角表示が選択された場合には、メモリ５に格納されている歪曲収差を補正した最大広角画像データが表示回路１０へ出力される（ステップＳ８２）。表示回路１０は、モニタ１１の画角に合わせて最大広角画像データをリサイズしながら１フレーム毎にモニタ１１へ出力する。これにより、モニタ１１には、図７（Ａ）に示すように、最大画角の画像２１が表示される（ステップＳ８３）。
【０１０４】
ステップＳ８１で、望遠表示が選択された場合には、メモリ５に格納されている歪曲収差を補正した望遠画像データが表示回路１０へ出力される（ステップＳ８４）。表示回路１０は、モニタ１１の画角に合わせて画像データをリサイズしながら１フレーム毎にモニタ１１へ出力する。これにより、モニタ１１には、図７（Ｂ）に示すように、望遠画像２２が表示される（ステップＳ８５）。
【０１０５】
ステップＳ８１で、２画面表示の選択をした場合には、メモリ５に格納されている歪曲収差を補正した最大広角画像データと、歪曲収差を補正した望遠画像データが表示回路１０へ出力される（ステップＳ８６）。これにより、図７（Ｃ）に示すように、最大画角の画像２１と望遠画像２２とが並べて表示される（ステップＳ８７）。
【０１０６】
ここで、表示設定が切り替えられたかどうかが判断される（ステップＳ８８）。表示設定が切り替えられたら、ステップＳ８１にリターンされる。そして、ステップＳ８１で、広角表示に切り替えられたか、望遠表示に切り替えられたか、２画面表示に切り替えられたかが判断される。
【０１０７】
広角表示に切り替えられた場合には、ステップＳ８２〜ステップＳ８３に示すようにして、最大画角の画像が表示される。望遠表示に切り替えられた場合には、ステップＳ８４〜ステップＳ８５に示すようにして、望遠画像が表示される。２画面表示に切り替えられた場合には、ステップＳ８６〜ステップＳ８７に示すようにして、最大画角の画像と望遠画像とが並べて表示される。
【０１０８】
１フレーム分の処理が終了したかどうかが判断され（ステップＳ８９）、１フレーム分の処理が終了したら、次フレームに処理を移し（ステップＳ９０）、ステップＳ８１にリターンし、次のフレームの処理が行われる。
【０１０９】
また、本発明の第２の実施の形態では、広角表示の間に、ズーム枠の表示を行ってもよい。
【０１１０】
図１１は、ズーム枠表示を行うときの処理を示すフローチャートである。図１１において、広角表示を行っているかどうかが判断され（ステップＳ９１）、広角表示中なら、ユーザが指示部１２の操作ボタンで枠表示の選択をしたかどうかが判断される（ステップＳ９２）。ズーム枠の表示を選択をした場合には、メモリ５から切り取られる画面に応じて、ズーム枠表示信号が形成される（ステップＳ９３）。メモリ５に格納されている歪曲収差を補正した最大広角画像データと、設定した画角に対応する枠表示信号が表示回路１０に送られる（ステップＳ９４）。これにより、モニタ１１には、図７（Ｄ）に示すように、最大画角の画像２１が表示され、望遠画角を示すズーム枠２３が表示される（ステップＳ９５）。１フレーム分の処理が終了したかどうかが判断され（ステップＳ９６）、１フレーム分の処理が終了したら、次フレームに処理を移し（ステップＳ９７）、ステップＳ９１にリターンし、次のフレームの処理が行われる。
【０１１１】
次に、本発明の第２の実施の形態による動画像撮像装置の圧縮動画像データの再生処理について説明する。
【０１１２】
図１２は、本発明の第２の実施の形態の再生処理を示すものである。前述したように、ユーザがズーム操作を行った場合（ステップＳ６６）、外部記録装置９には、記録時に、歪曲収差を補正していない最大広角圧縮画像データと、歪曲収差を補正した望遠圧縮画像データとが対として記録されている（ステップＳ７２及び７５参照）。図１２において、再生時には、対応情報に基づき、歪曲補正をしていない最大広角圧縮画像データと、歪曲収差を補正した望遠圧縮画像データとが外部記録装置９から読み出され、メモリ５に格納される（ステップＳ１０１）。
【０１１３】
メモリ５に格納されている歪曲補正をしていない最大広角圧縮画像データは、圧縮伸長回路８へ出力され、圧縮伸長回路８で、ＪＰＥＧフォーマットで伸長され、伸長された最大広角画像データは、メモリ５に格納される（ステップＳ１０２）。この伸長された最大広角画像データは、メモリ５から歪曲収差補正回路７に出力され、歪曲収差補正回路７で、歪曲収差の補正処理が行われる（ステップＳ１０３）。歪曲収差補正された最大広角画像データは、メモリ５に格納される（ステップＳ１０４）。
【０１１４】
一方、メモリ５に格納されている望遠圧縮画像データは、圧縮伸長回路８へ出力され、圧縮伸長回路８で、ＪＰＥＧフォーマットで伸長され、伸長された望遠画像データは、メモリ５に格納される（ステップＳ１０５）。
【０１１５】
本発明の第２の実施の形態では、再生時に、広角表示と望遠表示とを選択することができる。表示選択は、ユーザが指示部１２の操作ボタンで行う。
【０１１６】
再生時の表示が広角表示か、望遠表示か、２画面表示かが判断される（ステップＳ１０６）。ステップＳ１０６で、広角表示が選択された場合には、メモリ５に格納されている歪曲収差を補正した最大広角画像データが表示回路１０へ出力される（ステップＳ１０７）。表示回路１０は、モニタ１１の画角に合わせて最大広角画像データをリサイズしながら１フレーム毎にモニタ１１へ出力する。これにより、モニタ１１には、図７（Ａ）に示すように、最大画角の画像２１が表示される（ステップＳ１０８）。
【０１１７】
ステップＳ１０６で、望遠表示が選択された場合には、メモリ５に格納されている歪曲収差を補正した望遠画像データが表示回路１０へ出力される（ステップＳ１０９）。表示回路１０は、モニタ１１の画角に合わせて画像データをリサイズしながら１フレーム毎にモニタ１１へ出力する。これにより、モニタ１１には、図７（Ｂ）に示すように、望遠画像２２が表示される（ステップＳ１１０）。
【０１１８】
ステップＳ１０６で、２画面表示の選択をした場合には、メモリ５に格納されている歪曲収差を補正した最大広角画像データと、歪曲収差を補正した望遠画像データが表示回路１０へ出力される（ステップＳ１１１）。これにより、図７（Ｃ）に示すように、最大画角の画像２１と望遠画像２２とが並べて表示される（ステップＳ１１２）。
【０１１９】
ここで、表示設定が切り替えられたかどうかが判断される（ステップＳ１１３）。表示設定が切り替えられたら、ステップＳ１０６にリターンされる。そして、ステップＳ１０６で、広角表示に切り替えられたか、望遠表示に切り替えられたか、２画面表示に切り替えられたかが判断される。
【０１２０】
広角表示に切り替えられた場合には、ステップＳ１０７〜ステップＳ１０８に示すようにして、最大画角の画像が表示される。望遠表示に切り替えられた場合には、ステップＳ１０９〜ステップＳ１１０に示すようにして、望遠画像が表示される。２画面表示に切り替えられた場合には、ステップＳ１１１〜ステップＳ１１２に示すようにして、最大画角の画像と望遠画像とが並べて表示される。
【０１２１】
動画再生動作は、連続した複数のフレーム処理である。１フレーム分の処理が終了したかどうかが判断され（ステップＳ１１４）、１フレーム分の処理が終了したら、次フレームに処理を移し（ステップＳ１１５）、ステップＳ１０１にリターンし、次のフレームの処理が行われる。
【０１２２】
なお、本発明の第２の実施の形態では、再生時に、広角表示を行っている間に、ズーム位置の変更を行うことが可能である。図１３は、ズーム位置の変更を行ったときの処理を示すものである。
【０１２３】
図１３は、ズーム位置変更を行うときの処理を示すフローチャートである。図１３において、広角表示を行っているかどうかが判断され（ステップＳ１２１）、広角表示中なら、ユーザが指示部１２の操作ボタンでズーム位置の変更をしたかどうかが判断される（ステップＳ１２２）。ズーム位置の変更をした場合には、メモリ５に格納されている歪曲収差補正していない最大画角画像データから、変更したズーム位置の画角に応じて、画面が切り出される（ステップＳ１２３）。切り出された画像は、歪曲収差補正回路７に送られ、歪曲収差が補正され、メモリ５に格納される（ステップＳ１２４）。この最大画角画像データから切り出し、歪曲収差補正した望遠画像データが表示回路１０に送られる（ステップＳ１２５）。これにより、モニタ１１には、図１４に示すように、ズーム位置を変更した画像２５が表示される（ステップＳ１２６）。
【０１２４】
そして、１フレーム分の処理が終了したかどうかが判断され（ステップＳ１２７）、１フレーム分の処理が終了したら、次フレームに処理を移し（ステップＳ１２８）、ステップＳ１２１にリターンし、次のフレームの処理が行われる。
【０１２５】
以上、本発明の第２の実施の形態によれば、第1の実施の形態と同等の効果を得ることができる。更に歪曲収差を補正していない最大広角画像データを記録しているので、画質の劣化が少ない電子ズーム画像データを再生表示することも可能である。
【０１２６】
なお、本発明は上記実施した形態に限定されるものでなく、発明の要旨を変更しない範囲で適宜変形して実施可能である。
【産業上の利用可能性】
【０１２７】
本発明は、歪曲収差を有する光学系を用いたディジタルカメラにおいて、望遠画像を表示するのに用いて好適である。
【図面の簡単な説明】
【０１２８】
【図１】本発明の第１の実施の形態の構成を示すブロック図である。
【図２】歪曲収差を有する光学系の説明図である。
【図３】歪曲収差を有する光学系を用いたズーム処理の説明図である。
【図４】本発明の第１の実施の形態における記録処理の説明に用いるフローチャートである。
【図５】本発明の第１の実施の形態における表示処理の説明に用いるフローチャートである。
【図６】本発明の第１の実施の形態のズーム枠の表示処理の説明に用いるフローチャートである。
【図７】本発明における各種の表示の説明図である。
【図８】本発明の第１の実施の形態における再生処理の説明に用いるフローチャートである。
【図９】本発明の第２の実施の形態における記録処理の説明に用いるフローチャートである。
【図１０】本発明の第２の実施の形態における表示処理の説明に用いるフローチャートである。
【図１１】本発明の第２の実施の形態のズーム枠の表示処理の説明に用いるフローチャートである。
【図１２】本発明の第２の実施の形態における再生処理の説明に用いるフローチャートである。
【図１３】本発明の第２の実施の形態のズーム位置変更処理の説明に用いるフローチャートである。
【図１４】本発明におけるズーム位置変更処理の表示の説明図である。
【符号の説明】
【０１２９】
１：光学系、
２：イメージセンサ、
３：Ａ／Ｄ変換回路、
４：プリプロセス回路、
５：メモリ、
６：画像処理回路、
７：歪曲収差補正回路、
８：圧縮伸長回路、
９：外部記録装置、
１０：表示回路、
１１：モニタ、
１３：ＣＰＵ、
１２：指示部、
１４：バス、
２１：最大画角の画像、
２２：望遠画像、
２３：ズーム枠、
２５：ズーム位置を変更した画像、
【図１】
2007135135.tif 000003
【図２】
2007135135.tif 000004
【図３】
2007135135.tif 000005
【図４】
2007135135.tif 000006
【図５】
2007135135.tif 000007
【図６】
2007135135.tif 000008
【図７】
2007135135.tif 000009
【図８】
2007135135.tif 000010
【図９】
2007135135.tif 000011
【図１０】
2007135135.tif 000012
【図１１】
2007135135.tif 000013
【図１２】
2007135135.tif 000014
【図１３】
2007135135.tif 000015
【図１４】
2007135135.tif 000016